(57)【要約】      （修正有）【課題】単葉シートの単純折曲により、底面の延長上に仕切り壁が設計された仕切り付容器を得る。【解決手段】平板状抜き型シートに設けられた山、谷罫線の折曲変形により側壁部が交差する周縁に入隅フラップと、側壁部と仕切り部が交差する周縁に中間フラップとともに、仕切り部が交差する中央フラップを各三つの必須条件のもとに設計、仕切り付容器を得る。【選択図】なし【特許請求の範囲】
【請求項１】
複数に分割される底面相当部Ａとその各辺に隣接する各側壁相当部Ｃ及び仕切り壁相当部Ｂが設けられた平板シートにおいて、２方向の側壁相当部Ｃの交差部付近では起点ｅから略直線状ないしは腰折れ線状とした山折れ及び谷折れ罫線が外縁方向に略放射状として配置されることを第一の必須条件とする周縁入隅フラップａとともに、仕切り壁相当部Ｂと側壁相当部Ｃの交差部付近では、略直線状ないしは腰折れ線状とした山折れ及び谷折れ罫線が相対する両交点ｆを頂点とする略３辺形状として配されることを第二の必須条件とする周縁中間フラップｂが設けられることを特徴とした抜き型シートを折曲形成して得られる仕切り付容器。
【請求項２】
平板シートにおいて、各仕切り壁相当部Ｂの交差部位とその附近では略直線状ないしは腰折れ線状とした山折れ罫線が、仕切り壁相当部Ｂの稜線となる山折れ罫線の末端にある起点ｇを頂点とする略多辺形状として配されることを第三の必須条件とする中央フラップｃが設けられることを特徴とした請求項１の抜き型シート。
【発明の詳細な説明】
【０００１】本発明は単葉の平板シートを単純折曲により底面部に仕切りが設けられた仕切り付容器Ｉ並びにその容器を外容器ＩＩの内部と装着した仕切り付複合容器に関する。
【０００２】
〔従来の技術〕これまでに平板シートを単純折曲して得られる仕切り付容器と外容器を一体化して得られる仕切り付複合容器が見当たらないことから、熱軟化したプラスチックシートがサクション成形型により得られる仕切り付容器と外容器が一体化されてなる弁当容器を従来例としてとりあげる。そのプラスチック仕切り付容器は延伸変形量の大きさからその偏肉が著しいため過剰な厚みのプラスチック資材を余儀なくされている。消耗品としてはあまりにコスト高であるとともに枯涸必然の石油資源からつくられるこのプラスチック容器が使い捨てされるため持続可能な地球経済の維持を困難にしかねない。
【０００３】
〔課題を解決する手法〕上記問題を解決するため、本発明は紙などの平板シートを固有な折曲方法により仕切り付容器とその仕切り付複合容器を提供しうる。平板シートはコスト高でない極薄なものでありながら何ら損傷などのトラブルをおこすことなく所定の容器形状に形成される。また紙シートを用いればリサイクル可能な容器となり、つまり森林再生により地球資源の枯涸をまぬがれれることが可能となる。
【０００４】
〔発明の実施の形態〕本発明は平板シートを単純折曲することにより単数または複数の仕切りが単体ないしは併行ないしは交差して底面の延長上に形成されて得られる仕切り付容器を提供することである。上記平板シートは原則として、１本の山折れ罫線と両側の２本の各谷折れ罫線が併行してなる単数ないしは複数の仕切り相当部Ｂが単線ないしは併行状ないしは交差状にあらかじめ設けられるとともに、シート端部とそれに原則として併行する谷折れ罫線により区画される周縁側壁相当部Ｃが設けられた上、周縁入隅フラップａが起点ｅから外縁方向に複数の山、谷折れ罫線を放射状に設けられ、また周縁中間フラップｂが両交点ｆを頂点とした略３辺形状となるよう山、谷折れ罫線を設けられることを第一、第二の必須条件とするか乃至は上記必須条件に加えて中央フラップｃがその隣接する各起点ｇを頂点とする略多辺形となるように山折れ罫線が設けられることを第三の必須条件として抜き型シートを設計することである。
【０００５】また、周縁入隅フラップａでは、単数又は複数の起点ｅから３本以上の山、谷折れ罫線が外縁方向に放射状に設けられるとよい。
さらに各周縁中間フラップｂでは、接近する交点ｆを２頂点として腰折れ状山折れ罫線と直線状ないしは腰折れ状谷罫線が略３辺形状に設けられるとともに、上記交点ｆを介して谷折れ罫線が交点ｋに延長され、さらに上記腰折れ状罫線の交点ｉ又はｊを介して谷折れ罫線ないしは、連絡された谷折れ、山折れ罫線ないしは切り込みが設けられるとよい。
【０００６】中央フラップｃでは、山折れ罫線末端の各起点ｇを頂点として新たな直線状ないしは略腰折れ状山折れ罫線が略多辺形を形成されるとともに、その略多辺形上の複数所定部位から中心方向に谷折れないしは山折れ罫線又は谷、山折れ罫線が設けられるとよく、また略多辺形の外部周辺にある仕切り壁の各谷折れ罫線が交点ｈを介して略多辺形を形成する山折れ罫線にまで延伸されるかさらに中心に向け延伸されるとよい。なお、この中央フラップｃではその中心部付近に谷折れ罫線が小略多辺形状として設けられるかこれとはちがい切り抜き又は切り込み又はその双方が小略多辺形状ないしは自在な形状として設けられてもよい。
上記山、谷折れ両罫線の配置とした中央フラップｃが折曲されることにより、交差する仕切り壁面Ｂの隆起が突如反転し陥没形成されてポケット状立体として得られるとよい。
【０００７】上記の通り平板シートに所定の山、谷折れ罫線のみ乃至は所定の山、谷折れ罫線と所定の切り込み、切り抜きが設けられてなる抜き型シートが折曲形成されてなる仕切り付容器では、その仕切りの断面、平面形状がほぼ自在に形成可能であり、また単数、複数の仕切りの自在な配置や仕切りの交差部の有無、ヶ所数など自在な選択が可能である。
【０００８】、また本仕切り付容器の抜き型シートには、単層紙にかぎらず段ボールなどの複層貼合紙、プラスチックのコート紙、プラスチックシート、メタルシートのラミネイト紙やプラスチックシート、メタルシートなど折曲変形可能なすべての資材が用いられてよい。
【０００９】上記陥没形成とは隆起形成された複数の仕切りの延長にありながらその交差部において前記略多辺形の山折れ部を界としてその多辺形内部が反転曲折されることにより周囲を山折れ部に包まれた開放状ないしは閉鎖状の陥没形成がされてなるもののうち、幾何法則などにかなう立体をすべて指し示す。
【００１０】この様に形成された仕切り付容器は、これまで平板シートの折曲形成が不可能とされていたものであり、原則として、すべてが単葉一体の平板シートから形成されるため食品の液汁もれのない水密性と仕切り構造による形状剛性そして折紙細工風な美装性などにめぐまれた食器を提供した。
【００１１】
〔実施例〕本発明に好ましい実施形態について添付図面を参照して詳細に説明する図１〜７は本発明に関わる仕切り付容器の各部位とその複合複合容器である。図１は本発明に関わる特徴的な仕切り付容器Ｉを外容器ＩＩに装着した仕切り付複合容器である。図２は本発明に関わる仕切り付容器Ｉの周縁入隅部であり、図３は本発明に関わる仕切り付容器Ｉの周縁中間部であり、図４は本発明に関わる容器Ｉの中央部であり、図５は本発明に関わる本容器Ｉの抜き型シートであり、図６は本発明に関わる本容器Ｉを装着するための外容器ＩＩの抜き型シートであり、図７は本発明に関わる本容器Ｉと外容器ＩＩの複合容器である。
なお、図示された実施形態のうち、その形状などがシンメトリーなものについては図中の説明記号が原則としその単位部位にのみに付記され、また数字記号については偶数が谷折れ罫線、奇数が山折れ罫線につかいわけられている。
【００１２】図１−１〜１−６には本仕切り容器Ｉが外容器ＩＩに装着されて、実用品に供される仕切り付複合容器の実施形態が斜視図として例示されている。図１−１、１−２では交差部をもたない方形の仕切り付複合容器ＩＩであり、容器Ｉの周縁入隅部ａと同周縁中間部ｂの両納りが示されている。
図１−３、１−４では交差部をもつ方形の仕切り付複合容器ＩＩであり、容器Ｉの周縁入隅ａと同中間部ｂと中央部ｃの各納りが示されている。
図１−５、１−６では交差部をもつ６角形、円形の仕切り付複合容器ＩＩであり、容器Ｉの上記各納りが示されている。
なお、図示されていないが仕切り付容器Ｉがその所定部分を接着固定され、外容器ＩＩに装着することによって容器Ｉの単品のまま実用品と供されて本発明に有効である。
【００１３】この他に図示されないが様々な形状、配置、仕様など多くの変形があり、たとえば容器ＩＩ、Ｉの外形では方形、６角形、円形以外の多辺形、各辺が湾曲されたもの、各辺が直線状と湾曲線状に組み合わせたもの、各頂点が直線状又は湾曲状に面取りされたもの、全体が楕円形、自由曲線形など自在な形状が本発明に適用可能である。
また仕切りＢの本数・配置と交差部のヶ所数などが全く限定されず、また仕切りＢの平面形が直行状に限定されず腰折れ状、湾曲状とされるが上記各平面形が適宜に組み合わされて得られるものもよい。
2004224435.tif 000002
明に適用されて有効である。
【００１４】図２には、本発明に関わる仕切り付容器Ｉの周縁入隅フラップａとその周辺部の実施形態が示されている。図２−１〜２−１２には上記部位に相当する抜き型シートの平面各種が、図２−１′〜２−１２′には前記抜き型シート折曲途上にある立体各種が示されている。いずれの入隅フラップ相当部ａも、交差する谷折れ罫線４の交点ｅを起点とし外縁に向けて山、谷折れ罫線が放射状に設けられて得られることを、第一の必須条件として抜き型シートが設計されることである。
【００１５】好ましくは、図２−３、２−４，２−６に示されるように、交差する谷折れ罫線４の延長上に位置する単一交点ｅを起点として２本の谷折れ罫線８が設けられることを特徴として、よりくわしくは図２−６では上記２本の谷折れ罫線８の中間部に２本の山折れ罫線９と１本の谷折れ罫線１２が設けられ、また図２−３，２−４では上記罫線８の中間部に１本の山折れ罫線１１が設けられるとよい。上記各フラップａの折曲形成の過程が各図２−３′、２−４′、２−６′に示されている。
【００１６】好ましくは図２−１、２−２、２−５、２−７、２−８に示されるように交差する谷折れ罫線４の延長上に位置する単一交点ｅを起点として２本の山折れ罫線７が設けられることを特徴として、よりくわしくは図２−１、２−２では上記罫線７の中間部に１本の谷折れ罫線７が設けられるとよい。図２−５、２−６、２−７では上記罫線７の中間部に２本の谷折れ罫線１０と１本の谷折れ罫線２が設けられるとよい。
上記各フラップａの折曲形成の過程が各図２−１′、２−２′、２−５′、２−７′、２−８′に示されている。
【００１７】好ましくは図２−９、２−１０、２−１１、２−１２に示されるように交差する谷折れ罫線４の延長上に位置する一対の交点ｅを起点として各一対の山、谷折れ罫線７、１０が、そして単一交点ｅを起点として谷折れ罫線１２が設けられるとよい。上記各フラップａの折曲形成過程が図２−９′、２−１０′、２−１１′、２−１２′に示される。
【００１８】さらに好ましくは図２−１〜２−６、２−８、２−１０〜２−１２に示される様に入隅フラップ相当部の周
2004224435.tif 000003
が設けられるとよい。ただし図２−２、２−４、２−８、２−１０、２−１１に示されるようにフラップａ相当部の端部を一部分切除することにより接着固定するヶ所を削減するとよい。これらとはちがい図２−７、２−９に示されるように、フラップａ相当部の端部を一部延長しその延長分との境に山、谷、谷、山折れの各罫線が他の放射状罫線をよぎる様に設けられると、図２−７′、２−９′に示される様に折曲形成後延長部分が容器内側に倒し込まれて入隅形状が接着固定の手段によらず安定される様に得られてよい。なお図２−１０′には接着固定も特別な機械的操作なしに延長部分の折曲形成された入隅フラップがその折りぐせのみにより、外容器に装着される時点において自動的にその形状が安定化されて得られる様フラップａ相当部罫線が図２−１３に示されている。
【００１９】図示されていないが、上記各図に示される抜き型シート入隅フラップａの相当部についてそのフラップ本体の形状をはじめ各罫線の種類、本数、配置、線分形状（直線状、腰折れ線状、湾曲線状、上記組合せ）などは適宜組合わせて設けてもよく、これ以外に自在なフラップ形態、罫線仕様が容易に考案出来、いずれも本発明の入隅フラップａ相当部として有効である。
【００２０】図３には本発明に関わる仕切り付容器の周縁中間フラップｂとその周辺部の実施形態が示されるが、図３−１、３−２、３−３、３−４は上記フラップｂとその周辺の抜き型シートの平面であり、図３−１′、３−１”には図３−１抜き型シートが折曲形成された立体の各表、背面方向の斜視図が、図３−２’、３−２”には図３−２抜き型シートが折曲形成された立体の各表、背面方向斜視図が各々示されている。
本周縁中間フラップｂの相当部は、谷折れ罫線４と２による両交点ｆを２頂点として、腰折れ状山折れ状罫線９と直線状ないしは腰折れ状谷折れ罫線６が略３辺形状に設けられることを第二の必須条件として抜き型シートが設計されることである。
【００２１】好ましくは図３−１に示されるように第二の必須条件を満たしたのち、両谷折れ罫線２の略延長上に新たな谷折れ罫線１２が谷折れ罫線２を横ぎり相互に接近ぎみに側壁Ｃ端部に向かいｋ点に到達して設けられ、その両ｋ点を起点としてより小さな線分の腰折れ状山折り罫線１１が設けられ、さらに山折れ罫線１の延長上に谷折れ罫線１４、山折れ罫線１３、谷折れ罫線１６が直列連結に配されて、交点ｉ、ｊが設けられるとよい。
【００２２】好ましくは、図３−３に示されるように、第二必須条件を満たしたのち、図３−１の抜き型シートの谷折れ罫線１４、山折れ罫線１３のヶ所に直線状切り抜きが設けられるとよい。また好ましくは図３−４に示されるように図３−１の抜き型シートの山折り罫線１１を境にして三角形状に切除してもよい。前者の切り込みは抜き型シートの折曲形成後に得られ仕切り付容器Ｉのスタッキング時にその周縁中間フラップｂがスタッキング性能を大きく高めるとして効果的である。
【００２３】好ましくは図３−２に示されるように、第二必須条件を満たしたのち、交点ｆを介して両谷折り罫線２の延長上に相互に離隔される様に谷折れ罫線１２が側壁端部ｋ点にまで設けられ山折れ罫線１の交点ｉを介して谷折れ罫線１４が側壁端部ｉ点にまで設けられるとよい。
なお図示されないが、上記罫線の配置、本数、種類、線分形状（直線状、腰折れ線状、湾曲線状とこれら組合わせ）の適宜組合わせやその修正変更により自在なフラップ形態の設計が容易かつ可能でありいずれも本発明に有効である。
【００２４】図４には本発明に関わる仕切り付容器の中央フラップｃとその周辺部の実施形態が示されるが、図４−１〜４−６には上記フラップｃとその周辺部の抜き型シートの平面図であり、図４−１’〜４−６’には上記各抜き型シートが折曲形成して得られる仕切り付容器の立体斜視図である。
いずれの本中央フラップｃの相当部でも交差する山折れ罫線１末端の各交点ｇを各頂点として、直線状ないしは略腰折れ状の山折れ罫線３が略多辺形状に設けられることを第三の必須条件として抜き型シートが設計されることである。
【００２５】好ましくは図４−３以外の各図に示される様に、第三の必須条件が満たされたのち、交差する各谷折れ罫線２の交点ｈを各頂点として、直線状ないしは略腰折れ状の山折れ罫線５が大略多辺形状に設けられるとよい。また好ましくは図４−４以外の各図に示される通り、各山折れ罫線１の交点ｇから谷折れ罫線１０が略多辺形の中心部に向けて、逆放射状に設けられるとよい。また好ましくは、図４−１〜４−６に示される通り、フラップＣの中心相当部に小略多辺形状の切り抜きｍないしは谷折れ罫線４が設けられるとよい。
また図示されていないが、中心に向けられる谷折れ罫線８、又は谷折れ罫線１０が小略多辺形状の谷折れ罫線４を介して山折れ罫線ないしは谷折れ罫線として延長されるとよい。
【００２６】よりくわしくは図４−１に示される通り、各山折れ罫線１の交点ｇを各頂点とし、腰折れ状山折れ罫線３が略多辺形状に設けられるとともに、その各交点ｇから中心部方向に谷折れ罫線１０が延伸され、また各ｇ点を各頂点として、谷折れ罫線２の交点ｈを介する腰折れ罫線５が大略多辺形状として設けられ、そして、各交点ｈから中心部方向に谷折れ罫線８が延伸されるとよく、そしてさらに略多辺形中央部に小略多辺形状の切り抜きｍとそれに接続する切り込み線ｌが設けられる様に抜き型シートが設計されるとよい。
図４−１’、４−１”には上記抜き型シートが所定罫線の仕様のもとに折曲形成された中央フラップｃとその周辺部の立体形態が示されており、とりわけ山折れ罫線３によりなる略多辺形部が山折れ罫線１の位置より著しく陥没しポケット状に折曲され、ついにはポケット状内部が外部から見えない密閉状にまで深々と折曲形成されて設けられるとよい。
なお、図４−１”には、上記立体形態の背面が示されており、山折れ罫線３と切り込み線ｌと切り抜きｍとに囲われた部位が谷折れ罫線１０において折曲された上、接着ヶ所ｐとｑが接着ヶ所ｒで固定されるとよい。
【００２７】図４−２に示される通り、各交点ｇを各頂点として、小腰折れ部を含む山折れ罫線３が略４辺形状として設けられるとともに、その各交点ｇを頂点として、交点ｈを介して腰折れ罫線５が大略４辺形状として設けられ、また交点ｇから中心部に向けて谷折れ罫線１０が、そして交点ｈから中心部に向けて谷折れ罫線８が設けられ、さらにまた中心部付近には切り抜きとされない谷折れ罫線４が小４辺形状に設けられるとよい。
図４−２’には、上記抜き型シートが所定の罫線仕様のもとで折曲形成された立体形態が示され、山折れ罫線３により略４辺形部が著しく陥没せられてポケット状立体を形成せられ、小方形の底部から上方に開かれた４つの花弁状として設けられるとよい。
【００２８】図４−３に示される抜き型シートの実施形態では、山折れ罫線１の各末端交点ｇを頂点として、辺中央に小腰折れ部を含む直線状山折れ罫線３が略４辺形状に設けられるとともに、各谷折れ罫線２の各交点ｈを起点として中心方向に谷折れ罫線８が設けられ、各交点ｇを起点として中心方向に谷折れ罫線１０が設けられ、さらにまた略４辺形中心付近に小４辺形状の切り抜きｍが設けられるとよい。図４−３’に示される上記抜き型シートの折曲形成により得られるフラップｃとその周辺部の立体形態では、山折れ罫線３を境とし著しく陥没せられ長細い４花弁状開口をもつ半閉鎖型の立体形態が設けられるとよい。
【００２９】図４−４に示される抜き型シートの実施形態では、山折れ罫線１の各交点ｇを頂点として、辺央に小腰折れ線状部を含む山折れ罫線３が略４辺形状に設けられるとともに、各交点ｇから中心方向の谷折れ罫線が何ら設けられることなく、各交点ｇを頂点として、谷折れ罫線２の各交点ｈを介して腰折れ罫線５が大略４辺形状に設けられ、その各交点ｈを起点として中心方向に谷折れ罫線８をはさむ２本の山折れ罫線７が設けられ、さらにそれらは略４辺形を境にして各々が山折れ又は谷折れ罫線とに置換されて設けられるとよい。
図４−４’に示される上記抜き型シートが折曲形成されて得られるフラップｃとその周辺では、山折れ罫線３によりなる略４辺形内が陥没され、やや幅広の４花弁状壁面に囲まれた完全開放型の浅いポケット状立体が設けられるとよい。
【００３０】図４−５に示される抜き型シートの実施形態では、３方向の仕切り壁相当部Ｂが交差する中央フラップｃのための抜き型シートの平面図として、３本の山折れ罫線１とそれに併行する各２本の谷折れ罫線２とからなり、その各山折れ罫線１の各末端交点ｇを頂点として、腰折れ状の山折れ罫線３が略３辺形状として設けられるとともに、各ｇ点が頂点として、谷折れ罫線２の各交点ｈを介する腰折れ状山折れ罫線５が大略３辺形状として設けられ、また各交点ｇより中心方向に谷折れ罫線１０が、各交点ｈより谷折れ罫線１０が設けられ、そしてまた略３辺状中心部付近に小３辺形状の切り抜きｍとそれに接続する３本の線状の切り込みｌが設けられるとよい。
なお、図４−５’に示される、上記抜き型シートが折曲形成されて得られる中央フラップｃとその周辺では、山折れ罫線３によりなる略３辺形が陥没形成され、完全密閉型のポケット状立体が得られるとよい。
【００３１】図４−６に示される抜き型シートの実施形態では、５方向に仕切り壁相当部Ｂが交差する中央フラップｃのための抜き型シートの平面図として、５本の山折れ罫線１とこれに併行する各２本の谷折れ罫線２とから成り、その各山折れ罫線１の末端交点ｇを頂点として、辺央に小腰折れを含む略直線状山折れ罫線３が略５辺形状として設けられるとともに、各ｇ点を頂点として谷折れ罫線２の交点ｈを介して略直線状山折れ罫線５が大略５辺形状として設けられ、また各ｇ点より中心方向に谷折れ罫線８が各ｈ点より中心方向に谷折れ罫線１０が設けられ、そしてさらに略５辺形の中心部に谷折れ罫線が小略５辺形状に設けられるとよい。
なお図４−６’に示される、上記抜き型シートが折曲形成されて得られる中央フラップｃとその周辺部では、山折れ罫線３よりなる略５辺形の内部が陥没され５つの花弁状壁面に囲まれた開放型の深いポケット状立体が設けられるとよい。
【００３２】本発明の抜き型シートに設けられる山折れ罫線又は谷折れ罫線の平面は、単一線分にかぎらず、直線状ないしは曲線状とした複数線分が同一間隔のもとで近接・併行するもの、その間隔を変化させながら併行するものや、直線状と曲線状の各線分を適宜連結したものや、点線状に断続して上記各線分が設けられるもの、さらにまた図４−３の交点ｇを交点ｈの間に何ら山、谷罫線があらかじめ設けられず、図４−３’の様に立体形態において、交点ｇとｈの間に所定の湾曲面が安定的に形成されて得られるものや、切り込み線状、点線状の切り込み線状のものも本発明に有効である。
【００３３】前記図１〜４に示される各実施形態の詳細説明において「略直線状」と云う語句の意味するものは単純な直線状線分にかぎられず、波形状、湾曲線状、自由曲線状の線分も含まれ、また単純直線状線分の中間に湾曲状、自由曲線状ないしは小さな腰折れ線状の小線分が含まれ、さらにまた上記各形状線分を適宜組合わせたものでもよい。また「腰折れ線状」と云う語句では直線が中間で単純折れしたものにかぎらず、湾曲線が中間でおれたもの、直線状と湾曲線状が適宜組合わせられて中間で折れたもの、ジグザグ状に折れた直線、湾曲線状としたもの、折曲部だけを湾曲状としたものなど上記各形態線分を適宜組合わせたものも本発明に有効である。
【００３４】前記図３、４などの各実施形態の詳細説明において「略３辺形状」、「略多辺形状」と云う語句の意味するものは、通常の３角形、多角形に限らず内角を１８０°以上とした多辺形でもよく、略多角形を構成する各辺が直線状としたものから腰折れ線状、内、外湾曲線状、自由曲線状や頂点のみを小面取り状、湾曲面取り状としたもの、各辺中間に腰折れ線状、湾曲線状部分を設けてなるもの、そして、上記各形状線を適宜組合わせて得られる「略多辺形状」はいずれも本発明に有効である。
【００３５】前記図４などの各実施形態の詳細説明において「ポケット状立体」と云う語句の意味するものは、隆起する仕切り壁の交点ｇを境界として略多辺形内部のシートが山折れ罫線３を稜線とする、幾何法則にかなった陥没形成をされて得られる凹状立体の総称であり、図示されないが、この他に山折れ罫線３を手始めにその周辺の各山、谷折れ罫線の本数、配置、その線形などが適宜選択されることにより、ほぼ無限の凹状立体が形成されて得られいずれも本発明に有効である。
【００３６】前記図２，３，４の各実施形態の詳細説明にある「切り抜き」、「切り込み」、「除去」と云う語句の意味する所は上記の通り例示された部位、ヶ所数、寸法、形状に限定されることなく様々な手法があり、罫線に代替する点線状切り込みなども含まれ、上記各手法も適宜選択、組合せで得られるものはいずれも本発明に有効である。
【００３７】前記図２、３、４の各実施形態の詳細説明にある「接着固定」、「折曲固定」の意味する所は、上記例示されたその部位、ヶ所数や設けられる固定方法もまたその範囲、手段も限定されず、たとえば接着方法として接着剤の塗布によるもの、あらかじめコート、ラミネイトされた被覆のヒートシールによるもの、そして小金具などのクリップによるもの、平板シートの微小部の相互貫入、受容による手段などいずれも本発明に有効であり、折曲固定の手段も容易にその変形が考案されいずれも本発明に有効である。
【００３８】図５には、本発明に関わり、方形４分割型に分類される図１−３の仕切り付複合容器ＩＩ内に装着された仕切り付容器Ｉの抜き型シートの全体構成が示されており、すなわち、偏心十字型の仕切り壁Ｂと矩形状の側壁Ｃの相当部が設けられた各種抜き型シートには、その周縁に入隅フラップ相当部ａとその中間フラップ相当部ｂと中央にフラップ相当部ｃの様々な実施形態が詳細に表示されている、フラップ相当部ａ、ｂ、ｃの形態は前記各図２、３、４に示されたものにほぼ準じており、その詳細がすでに述べられているので、ここでは重複説明はさけられる。ただし各フラップ相当部ａ、ｂ、ｃ内の記号は本図５と前図２，３，４とでは必ずしも整合していない。なお、図７には、本図５にある抜き型シートが折曲形成された仕切り付容器Ｉの代表的なものが、図６に関わる外容器ＩＩとともに例示されている。
【００３９】くわしくは図５−１に示される通り、周縁の入隅フラップ相当部ａには前図２−９が、周縁の中間フラップ相当部ｂには前図３−２が、中央フラップ相当部ｃには前図４−１が各々準ずるものとして採用されている。この抜き型シートが折曲形成して得られる仕切り付容器Ｉでは入隅フラップａと中央フラップｃにおいて接着固定されて設けられることから、本容器Ｉ相互のスタッキングが容易であり、また外容器ＩＩへの装着も容易である。なお入隅フラップａのみに接着固定して設けられる本容器Ｉも、それなりにスタッキング、装着の性能が得られて好都合である。
【００４０】くわしくは図５−２に示される通り、周縁の入隅フラップ相当部ａには、前図２−４が、中間フラップ相当部ｂには前図３−３が、中央フラップ相当部ｃには前図４−１が各々準ずるものとして採用されている。本抜き型シートが折曲形成されて得られる仕切り付容器Ｉではフラップａ、ｂ、ｃがすべて接着固定されるため、スタッキング性能は無いものの外容器への装着性能はすぐれる。場合によっては抜き型シート用紙を厚手のものとするか、側壁相当部Ｂに新たに折り返しなどを設けることにより外容器を不要とする単体の仕切り付容器として実用に供することが可能となる。
【００４１】くわしくは図５−３に示される通り、周縁の入隅フラップ相当部ａには前図２−１２が、中間フラップ相当部ｂには前図３−２が、中央フラップ相当部ｃには前図４−１がその準ずるものとして採用されている。本抜き型シートが折曲形成されて得られる仕切り付容器Ｉでは、全フラップａ、ｂ、ｃにおいて接着固定を要さないものであり、ただ入隅フラップａにおいて、フラップ中央の突出部分が容器内側に倒れ込む様にして折曲固定され設けられフラップａが安定し、スタッキング、装着の両性能は保證される。
【００４２】くわしくは図５−４に示される通り、周縁の入隅フラップ相当部ａには前図２−９が、中間フラップ相当部ｂには前図３−３が、中央フラップ部ｃには前図４−１が各々準ずるものとして採用されている。また図５−５に示される通り、周縁の入隅フラップ相当部ａには前図２−９が、中間フラップ相当部ｂに前図３−３が、中央フラップ相当部ｃには前図４−１が準ずるものとして採用されている。とりわけ、中央フラップ相当部ｃでは、図４−１のものにいささか修正が加えられており、まず中心部付近の切り抜きｍが方形から異形のものに変更されたために、接着固定ヶ所が半減され、略多辺形内に谷折れ罫線１８、山折れ罫線１３が設けられることにより、中央フラップ相当部ｃが折曲形成され立体形態が得られた場合、図４−１”に示される様に中央フラップ内の谷折れ罫線１０で折曲されて得られる４片が仕切り壁面に密着されるように変形して接着固定されて設けられることをこの実施形態の特徴としてよい。
また抜き型シートが図示されていないが、その立体形態が図７−５、７−５’の仕切り付容器Ｉとして示されているものは側壁端部に平坦なフランジＤが設けられ、その抜き型シートの平面の局部詳細は図６−２のそれに準ずるものとして設けられるとよい。なお、図３−２のように各部位が接着固定されたものは本容器Ｉ単体で実用に供することが出来て好ましい。
【００４３】以上各種の好ましい抜き型シートの実施形態を説明して来たが、前図１，２，３，４に示される部分の構成以外に多様な変化形が容易に考案出来、それらを組み合わせて得られる全体抜き型シートがさらに多様で、新たな実施形態が自在に考案され、いずれも本発明に有効である。
【００４４】図６には、本発明に関わる方形などとした図１−３の仕切り付複合容器の外容器ＩＩについてその各種抜き型シートが示されている。図６−１〜６−４にはフランジ付などととした、原則スタッキング可能な開放型外容器ＩＩが図６−５には折りたたみ可能なフタ付外容器ＩＩが示されている。なお図７には上記抜き型シートが折曲形成されて設けられる外容器ＩＩの立体形態が仕切り付容器Ｉとともに示されている。
【００４５】くわしくは図６−１に示される通り、底面相当部Ａ’を囲む様にして側壁相当部Ｂ’がそして、側壁の交差する部分に入隅フラップ相当部Ｃ’がそしてさらに側壁相当部Ｂ’、入隅フラップ相当部の外縁部分にフランジ相当部Ｄ’、Ｄ”が設けられる抜き型シートにおいて、交差する谷折れ罫線２の交点ｆから谷折れ罫線１０が、交点ｆ付近の両交点から山折れ罫線３と谷折れ罫線８が外縁方向に放射状に設けられ、そして山折れ罫線３の腰折れ部とフランジ境界の山折れ罫線１との両交点ｇを連結するジグザグ状の山折れ罫線７、谷折れ罫線１２が設けられてなる入隅フラップＣ’が抜き型シートの四隅に形成されるとよい。さらに山折れ罫線１が各交点ｇを連結する様に設けられその罫線１とフランジ端部の間に併行に谷折れ罫線４、６が設けられるとよい。
【００４６】本抜き型シートが折曲形成された図７−１’の外容器ＩＩが得られ、その部分断面詳細が図７−２”の外容器の実線で示されている。図７−２”に示される様に、本容器ＩＩの山折れ罫線Ｉと谷折れ罫線４に区画されたフランジＤ’の上面と折り返し部Ｆ’が設けられ、その折り返し部Ｆ’がフランジＤ’より少し長めとされるため、その余剰部分が容器ＩＩ内部に突出して設けられることにより、外容器内に装着された仕切り付容器Ｉの側壁端部Ｃが上記突出部によりカバーされて設けられるとよい。
【００４７】くわしくは図６−２に示される通り、図６−１とほぼ同じ抜き型シートがフランジ相当部のみを変更されて得られたものであり、すなわち、山折れ罫線１とフランジ端部の間に山折れ罫線３が設けるのをその特徴としている。
その抜き型シートが折曲形成され図７−２の外容器ＩＩが得られるとともに、図７−２’には本外容器ＩＩが実線で示される断面詳細であり、山折れ罫線１と山折れ罫線３に区画されたフランジＤ’の下面に折り返し部分Ｆ’が設けられることから、その内部に装着される仕切り付容器Ｉの側壁端部が切り放しとして設けられるか、図の様に外側などに折り返し部分Ｆ’が設けられるとよい。
【００４８】くわしくは図６−３に示される通り、図６−１の抜き型シートにその罫線構成がほぼ類似しているが、底面相当部Ａ’と側壁相当部Ｂ’の境界付近において、谷折れ罫線２の内側に山折れ罫線３が併行して設けられるとともに、山折れ罫線上のｅ点と谷折れ罫線２上のｆ、ｇ点を起点として各谷折れ、山折れ罫線が放射状に設けられるとよい。
図６−３’には上記抜き型シートが折曲形成されて設けられる外容器ＩＩの断面が示されているが、その底面Ａ’と側壁Ｂ’との境界付近に下方への突起部Ｅが設けられるとよい。この突起部Ｅのために本仕切り付複合容器を食器として利用する時、指かけ部位が設けられるとともに電子レンジによる加熱が不均一となることを防止するなどの効用とあわせ底面部分Ａ’と側壁部Ｂ’の剛性をあげる効果が得られて好都合である。
【００４９】くわしくは図６−４に示される通り、底面相当部Ａ’の周辺に側壁相当部Ｂ’、入隅フラップ相当部Ｃ’と側壁相当部Ｂ’外縁にフランジ相当部Ｄ’が設けられ、なお入隅フラップ相当部Ｃ’なお前図２−６の実施形態が採用されるとよい。
本抜き型シートが折曲形成されて設けられる外容器ＩＩが図７−４に示され、図７−４’には同容器ＩＩの部分断面詳細が実線で示されている。また、抜き型シートには図示されていないが、図７−４’の容器ＩＩの底面隅部には図６−３にある突起部Ｅが設けられてもよい。
なお、図７−４’の仕切り付容器Ｉは点線で示されているが、その側壁端部が上記外容器ＩＩのフランジ状折り返し部Ｄ’にカバーされる様に設けられるとよい。また図７−５、７−５’の仕切り付容器Ｉと外容器ＩＩはともにその抜き型シート平面が示されていないが、仕切り容器Ｉの側壁端部に平坦となるフランジＤが設けられその端部が、上記図６−４に準ずる外容器ＩＩの側壁折り返し部Ｆ’にカバーされて設けられるとよい。
【００５０】くわしくは図６−５に示される通り、底面相当部Ａ’の周辺に側壁相当部Ｂ’、入隅フラップ相当部Ｃ’が設けられ、側壁相当部Ｂ’の外縁にフランジ相当部Ｄ’、他の側壁側壁部Ｂ’の外縁に折り返し部Ｆ’、残された側壁相当部Ｂ’の周縁に蓋部Ｅと挿入舌部Ｇが設けられた上、折りたたみのための山折り罫線１が設けられることを本抜き型シートの特徴としている。
図７−６には上記抜き型シートが折曲形成されて設けられる外容器ＩＩが示され、内部に仕切り付容器Ｉが装着され、図７−６’にはその部分断面詳細の実線部分として示されている。
【００５１】図７−７には３角形状の外容器ＩＩに、３方向の仕切り壁の交差して設けられる仕切り付容器が装着されたものが、図７−８には５角形状の外容器ＩＩに、５方向の仕切り壁の交差して得られる仕切り付容器が装着されたものが、本発明の実施形態の一例として示されている。なお、上記例は正３角形、正５角形として示されているが、不等辺多角形状、各辺ないしは一部辺を湾曲状、各辺頂部のみを面取り状、その他自在な辺形からなる多辺形状などいずれも本発明に有効である。
【００５２】本発明の上記実施形態では、本発明を弁当用トレー容器に適用する場合につき説明されたが、冷凍、冷蔵食品用容器や和菓子、ケーキなどの包装容器などに用いられてもよく、食品以外の物品の仕切り容器、その他の上下のシート部材でサンドウィッチもしくは片面シートと合体されてなる構造資材等の芯材として使用されてもよく、その用途はほぼ無限に広いものである。
【００５３】本発明はまた上記実施形態に示されたもの以外に、以下に列記したよう種々変更可能である。上記実施形態のように単一の交差部に限らず交差部が直列状に隣接に設けられるものや格子状に設けられる場合にも適用することが出来る。
【００５４】本発明の山折れ罫線と谷折れ罫線で形成される仕切り部の断面形状は単一角形のものに限られず、各種曲率とした湾曲状、台形状、湾曲部をはさむ台形状、平坦部をはさむ湾曲状複数の直線分の角部をつけて連結した形状であってもよい。
【００５５】本発明の山折れ罫線または谷折れ罫線は単一直線分に限られず、単一曲線分、所定の間隔で併行する複数の直線または曲線分、間隔を変化させて併行する複数の直線または曲線分、直線と曲線を連結した線分などの形状とされてもよい。
【００５６】
［発明の効果］以上のように本発明の仕切り付容器では、紙などの折り曲げ自在なシート材を用いて、その周縁に側壁相当部とフラップ相当部を設け、その内側に隣接してフラップ相当部と仕切り壁相当部により区画された底面部を設けた上、各相当部の境界とともに各相当部内に谷、山折れ罫線ときには切り込み、切り抜きを設けることによって、単一の平板シートを複雑な立体形状に単純折曲して得ることが出来ることから、自動機などによる成形加工が可能となり、廉価で美装性の高く、形状剛性の充分なそして水もれのおそれのない機能的な食品容器などを得ることが出来た。
【図面の簡単な説明】
【図１】本発明の第１の実施形態に関わる仕切り付複合容器の斜視図。
【図２】本発明の第２の実施形態に関わる仕切り容器の抜き型シート入隅部の平面、斜視図。
【図３】本発明の第２の実施形態に関わる仕切り容器の抜き型シート周縁中間部の平面、斜視図。
【図４】本発明の第２の実施形態に関わる仕切り容器の抜き型シート中央部の平面、斜視図。
【図５】本発明の第２の実施形態に関わる仕切り容器の抜き型シート全体の平面図。
【図６】本発明の第３の実施形態に関わる外容器の抜き型シートの平面図。
【図７】本発明の第１の実施形態に関わる仕切り付複合容器の斜視図、部分断面斜視図。
［記号の説明］
Ｉ……………仕切り付容器
ＩＩ…………外容器
Ａ……………容器Ｉの底面、同相当部
Ａ’…………容器ＩＩの底面、同相当部
Ｂ……………容器Ｉの仕切り壁、同相当部
Ｂ’…………容器ＩＩの側壁、同相当部
Ｃ……………容器Ｉの側壁、同相当部
Ｃ’…………容器ＩＩの入隅フラップ、同相当部
Ｄ……………容器Ｉのフランジ、同相当部
Ｄ’…………容器ＩＩのフランジ、同相当部
Ｄ”…………容器ＩＩの隅部フランジ、同相当部
Ｅ……………容器ＩＩの蓋面、同相当部
Ｆ……………容器Ｉの折り返し、同相当部
Ｆ’…………容器ＩＩの折り返し、同相当部
Ｇ……………容器ＩＩの挿入舌、同相当部
Ｈ……………容器ＩＩの突起部、同相当部
ａ……………周縁入隅フラップ、同相当部
ｂ……………周縁中間フラップ、同相当部
ｃ……………中央フラップ、同相当部
ｄ……………谷折れ罫線４の交差点
ｅ……………同上付近交点
ｆ……………谷折れ罫線４と同２との交差点
ｇ……………山折れ罫線１の末端点
ｈ……………谷折れ罫線２の交差点
ｉ……………山折れ罫線１と同線９の交差点
ｊ……………山折れ罫線１９と同線１１の交差点
ｋ……………谷折れ罫線１２と側壁端末の交差点
ｌ……………中央切り込み線
ｍ……………中央切り抜き部
ｎ……………周縁中間切り込み線
ｐ……………表面固定部
ｑ……………背面固定部
奇数番号…  山折れ罫線、同折曲部
偶数番号…  谷折れ罫線、同折曲部
【図１】
2004224435.tif 000004
【図２】
2004224435.tif 000005
【図３】
2004224435.tif 000006
【図４】
2004224435.tif 000007
【図５】
2004224435.tif 000008
【図６】
2004224435.tif 000009
【図７】
2004224435.tif 000010
【手続補正書】
【提出日】平成15年5月26日(2003.5.26)
【手続補正１】
【補正対象書類名】明細書
【補正対象項目名】図面の簡単な説明
【補正方法】変更
【補正の内容】
【図面の簡単な説明】
【図１】本発明の第１の実施形態に関わる仕切り付複合容器の斜視図。
【図２Ａ】本発明の第２の実施形態に関わる仕切り容器の抜き型シート入隅部の平面図。
【図２Ｂ】本発明の第２の実施形態に関わる仕切り容器の抜き型シート入隅部の平面図。
【図２Ｃ】本発明の第２の実施形態に関わる仕切り容器の抜き型シート入隅部の斜視図。
【図２Ｄ】本発明の第２実施形態に関わる仕切り容器の抜き型シート入隅部の斜視図。
【図３】本発明の第２の実施形態に関わる仕切り容器の抜き型シート周縁中間部の平面、斜視図。
【図４Ａ】本発明の第２の実施形態に関わる仕切り容器の抜き型シート中央部の平面、斜視図。
【図４Ｂ】本発明の第２の実施形態に関わる仕切り容器の抜き型シート中央部の平面、斜視図。
【図４Ｃ】本発明の第２の実施形態に関わる仕切り容器の抜き型シート中央部の平面、斜視図。
【図５Ａ】本発明の第２の実施形態に関わる仕切り容器の抜き型シート全体の平面図。
【図５Ｂ】本発明の第２の実施形態に関わる仕切り容器の抜き型シート全体の平面図。
【図５Ｃ】本発明の第２の実施形態に関わる仕切り容器の抜き型シート全体の平面図。
【図５Ｄ】本発明の第２の実施形態に関わる仕切り容器の抜き型シート全体の平面図。
【図５Ｅ】本発明の第２の実施形態に関わる仕切り容器の抜き型シート全体の平面図。
【図６Ａ】本発明の第３の実施形態に関わる外容器の抜き型シートの平面図。
【図６Ｂ】本発明の第３の実施形態に関わる外容器の抜き型シートの平面図及び同容器の断面図。
【図６Ｃ】本発明の第３の実施形態に関わる外容器の抜き型シートの平面図。
【図６Ｄ】本発明の第３の実施形態に関わる外容器の抜き型シートの平面図。
【図７Ａ】本発明の第１の実施形態に関わる仕切り付複合容器の斜視図。
【図７Ｂ】本発明の第１の実施形態に関わる仕切り付複合容器の斜視、部分断面斜視図。
【図７Ｃ】本発明の第１の実施形態に関わる仕切り付複合容器の斜視、部分断面斜視図。
【図７Ｄ】本発明の第１の実施形態に関わる仕切り付複合容器の斜視、部分断面斜視図。
【図７Ｅ】本発明の第１の実施形態に関わる仕切り付複合容器の斜視、部分断面斜視図。
【図７Ｆ】本発明の第１の実施形態に関わる仕切り付複合容器の斜視、部分断面斜視図。
【図７Ｇ】本発明の第１の実施形態に関わる仕切り付複合容器の斜視、部分断面斜視図。
【符号の説明】
Ｉ−−−−−−仕切り付容器
ＩＩ−−−−−外容器
Ａ−−−−−−容器Ｉの底面、同相当部
Ａ’−−−−−容器ＩＩの底面、同相当部
Ｂ−−−−−−容器Ｉの仕切り壁、同相当部
Ｂ’−−−−−容器ＩＩの側壁、同相当部
Ｃ−−−−−−容器Ｉの側壁、同相当部
Ｃ’−−−−−容器ＩＩの入隅フラップ、同相当部
Ｄ−−−−−−容器Ｉのフランジ、同相当部
Ｄ’−−−−−容器ＩＩのフランジ、同相当部
Ｄ”−−−−−容器ＩＩの隅部フランジ、同相当部
Ｅ−−−−−−容器ＩＩの蓋面、同相当部
Ｆ−−−−−−容器Ｉの折り返し、同相当部
Ｆ’−−−−−容器ＩＩの折り返し、同相当部
Ｇ−−−−−−容器ＩＩの挿入舌、同相当部
Ｈ−−−−−−容器ＩＩの突起部、同相当部
ａ−−−−−−周縁入隅フラップ、同相当部
ｂ−−−−−−周縁中間フラップ、同相当部
ｃ−−−−−−中央フラップ、同相当部
ｄ−−−−−−谷折れ罫線４の交差点
ｅ−−−−−−同上付近交点
ｆ−−−−−−谷折れ罫線４と同２との交差点
ｇ−−−−−−山折れ罫線１の末端点
ｈ−−−−−−谷折れ罫線２の交差点
ｉ−−−−−−山折れ罫線１と同線９の交差点
ｊ−−−−−−山折れ罫線１９と同線１１の交差点
ｋ−−−−−−谷折れ罫線１２と側壁端末の交差点
ｌ−−−−−−中央切り込み線
ｍ−−−−−−中央切り抜き部
ｎ−−−−−−周縁中間切り込み線
ｐ−−−−−−表面固定部
ｑ−−−−−−背面固定部
奇数番号−−−山折れ罫線、同折曲部
偶数番号−−−谷折れ罫線、同折曲部


【手続補正２】
【補正対象書類名】図面
【補正対象項目名】全図
【補正方法】変更
【補正の内容】
【図１】
2004224435.tif 000011
【図２Ａ】
2004224435.tif 000012
【図２Ｂ】
2004224435.tif 000013
【図２Ｃ】
2004224435.tif 000014
【図２Ｄ】
2004224435.tif 000015
【図３】
2004224435.tif 000016
【図４Ａ】
2004224435.tif 000017
【図４Ｂ】
2004224435.tif 000018
【図４Ｃ】
2004224435.tif 000019
【図５Ａ】
2004224435.tif 000020
【図５Ｂ】
2004224435.tif 000021
【図５Ｃ】
2004224435.tif 000022
【図５Ｄ】
2004224435.tif 000023
【図５Ｅ】
2004224435.tif 000024
【図６Ａ】
2004224435.tif 000025
【図６Ｂ】
2004224435.tif 000026
【図６Ｃ】
2004224435.tif 000027
【図６Ｄ】
2004224435.tif 000028
【図７Ａ】
2004224435.tif 000029
【図７Ｂ】
2004224435.tif 000030
【図７Ｃ】
2004224435.tif 000031
【図７Ｄ】
2004224435.tif 000032
【図７Ｅ】
2004224435.tif 000033
【図７Ｆ】
2004224435.tif 000034
【図７Ｇ】
2004224435.tif 000035